(57)【要約】      （修正有）【課題】ユーザが使用するユーザ機器に設定情報を容易に設定することが可能なサーバ、ユーザ機器、システム、方法及びプログラムを提供する。【解決手段】システム１０において、サーバ１１は、ユーザを認証するための所定の認証情報を、ネットワーク１３を介してユーザが使用するユーザ機器１２から受信する。サーバは、所定の認証情報が予め保存された複数の認証情報のうちのいずれかと一致するかを判定する。所定の認証情報が一致する場合、所定の認証情報と紐付けられた設定情報であってユーザ機器を使用するための設定情報をユーザ機器に送信する。【選択図】図２
2020144422.tif 000002
【特許請求の範囲】
【請求項１】
ユーザを認証するための所定の認証情報を前記ユーザが使用するユーザ機器から受信する受信部と、
前記所定の認証情報が予め保存された複数の認証情報のうちのいずれかと一致するかを判定する判定部と、
前記所定の認証情報が一致する場合、前記所定の認証情報と紐付けられた設定情報であって前記ユーザ機器を使用するための前記設定情報を前記ユーザ機器に送信する送信部と、
を備えるサーバ。
【請求項２】
前記認証情報は、人の顔を使用して前記ユーザを認証する顔認証情報である、
請求項１に記載のサーバ。
【請求項３】
前記認証情報と前記設定情報とを紐付けて保存する保存部をさらに備える、
請求項１又は２に記載のサーバ。
【請求項４】
前記受信部は、前記設定情報を送信するための送信指示を前記ユーザ機器から受信し、
前記送信指示は、前記所定の認証情報を含む、
請求項１乃至３のいずれか１に記載のサーバ。
【請求項５】
ユーザを認証するための所定の認証情報をサーバに送信するユーザ機器送信部と、
前記ユーザが自機器を使用するための設定情報を前記サーバから受信するユーザ機器受信部と、
前記設定情報を自機器に設定する設定部と、
を備えるユーザ機器。
【請求項６】
端末、電話機、スマートフォン、携帯電話機、パーソナルコンピュータ、及びタブレットのうちの少なくともいずれかを含む、
請求項５に記載のユーザ機器。
【請求項７】
請求項１乃至４のいずれか１に記載のサーバと、
請求項５又は６に記載のユーザ機器と、
を備えるシステム。
【請求項８】
ユーザを認証するための所定の認証情報を前記ユーザが使用するユーザ機器から受信することと、
前記所定の認証情報が予め保存された複数の認証情報のうちのいずれかと一致するかを判定することと、
前記所定の認証情報が一致する場合、前記所定の認証情報と紐付けられた設定情報であって前記ユーザ機器を使用するための前記設定情報を前記ユーザ機器に送信することと、
を備える方法。
【請求項９】
ユーザを認証するための所定の認証情報をサーバに送信することと、
前記ユーザがユーザ機器を使用するための設定情報を前記サーバから受信することと、
前記設定情報を前記ユーザ機器に設定することと、
を備える方法。
【請求項１０】
ユーザを認証するための所定の認証情報を前記ユーザが使用するユーザ機器から受信することと、
前記所定の認証情報が予め保存された複数の認証情報のうちのいずれかと一致するかを判定することと、
前記所定の認証情報が一致する場合、前記所定の認証情報と紐付けられた設定情報であって前記ユーザ機器を使用するための前記設定情報を前記ユーザ機器に送信することと、
をコンピュータに実行させるプログラム。
【請求項１１】
ユーザを認証するための所定の認証情報をサーバに送信することと、
前記ユーザがユーザ機器を使用するための設定情報を前記サーバから受信することと、
前記設定情報を前記ユーザ機器に設定することと、
をコンピュータに実行させるプログラム。
【発明の詳細な説明】
【技術分野】
【０００１】
本開示は、サーバ、ユーザ機器、システム、方法及びプログラムに関するものであり、特に、ユーザが使用するユーザ機器に設定情報を容易に設定することが可能なサーバ、ユーザ機器、システム、方法及びプログラムに関する。
【背景技術】
【０００２】
ユーザ機器を使用する際、ユーザの認証を行い、ユーザの個人設定情報を設定してから該ユーザ機器を使用するシステムが知られている。
【０００３】
特許文献１には、利用者が携帯する発信器が送信した無線信号を通信端末が受信した際の前記無線信号の受信強度の情報及び前記無線信号に含まれる前記発信器毎に一意に定まる識別情報を、無線情報として前記通信端末から受信する第１のインタフェースと、前記識別情報と前記利用者の電話番号との対応を示す利用者情報を保持し、前記利用者情報、前記受信強度の情報及び前記識別情報に基づいて前記通信端末で使用する電話番号を決定し、決定された前記電話番号を持つ端末として前記通信端末を制御する第１の制御部と、を備える呼制御装置が開示されている。特許文献１には、所定の認証情報が予め保存された複数の認証情報のうちのいずれかと一致する場合、所定の認証情報と紐付けられた設定情報であり、ユーザ機器を使用するための設定情報をユーザ機器に送信することは開示されていない。
【先行技術文献】
【特許文献】
【０００４】
【特許文献１】特開２０１８−１９１１７号公報
【発明の概要】
【発明が解決しようとする課題】
【０００５】
上述のシステムにおいては、例えば、ユーザの通常の勤務地以外で電話機を使用する際、その都度、ユーザの個人設定情報を電話機に設定する必要があり、その設定が容易では無いという課題があった。
【０００６】
本開示の目的は、上述した課題を解決するサーバ、ユーザ機器、システム、方法及びプログラムを提供することにある。
【課題を解決するための手段】
【０００７】
本開示に係るサーバは、
ユーザを認証するための所定の認証情報を前記ユーザが使用するユーザ機器から受信する受信部と、
前記所定の認証情報が予め保存された複数の認証情報のうちのいずれかと一致するかを判定する判定部と、
前記所定の認証情報が一致する場合、前記所定の認証情報と紐付けられた設定情報であって前記ユーザ機器を使用するための前記設定情報を前記ユーザ機器に送信する送信部と、
を備える。
【０００８】
本開示に係るユーザ機器は、
ユーザを認証するための所定の認証情報をサーバに送信するユーザ機器送信部と、
前記ユーザが自機器を使用するための設定情報を前記サーバから受信するユーザ機器受信部と、
前記設定情報を自機器に設定する設定部と、
を備える。
【０００９】
本開示に係るシステムは、
サーバとユーザ機器とを備え、
前記サーバは、
ユーザを認証するための所定の認証情報を前記ユーザが使用するユーザ機器から受信する受信部と、
前記所定の認証情報が予め保存された複数の認証情報のうちのいずれかと一致するかを判定する判定部と、
前記所定の認証情報が一致する場合、前記所定の認証情報と紐付けられた設定情報であって前記ユーザ機器を使用するための前記設定情報を前記ユーザ機器に送信する送信部と、を有し、
前記ユーザ機器は、
前記所定の認証情報を前記サーバに送信するユーザ機器送信部と、
前記設定情報を前記サーバから受信するユーザ機器受信部と、
前記設定情報を前記ユーザ機器に設定する設定部と、を有する。
【００１０】
本開示に係るサーバの方法は、
ユーザを認証するための所定の認証情報を前記ユーザが使用するユーザ機器から受信することと、
前記所定の認証情報が予め保存された複数の認証情報のうちのいずれかと一致するかを判定することと、
前記所定の認証情報が一致する場合、前記所定の認証情報と紐付けられた設定情報であって前記ユーザ機器を使用するための前記設定情報を前記ユーザ機器に送信することと、
を備える。
本開示に係るユーザ機器の方法は、
ユーザを認証するための所定の認証情報をサーバに送信することと、
前記ユーザがユーザ機器を使用するための設定情報を前記サーバから受信することと、
前記設定情報を前記ユーザ機器に設定することと、
を備える。
【００１１】
本開示に係るサーバのプログラムは、
ユーザを認証するための所定の認証情報を前記ユーザが使用するユーザ機器から受信することと、
前記所定の認証情報が予め保存された複数の認証情報のうちのいずれかと一致するかを判定することと、
前記所定の認証情報が一致する場合、前記所定の認証情報と紐付けられた設定情報であって前記ユーザ機器を使用するための前記設定情報を前記ユーザ機器に送信することと、
をコンピュータに実行させる。
本開示に係るユーザ機器のプログラムは、
ユーザを認証するための所定の認証情報をサーバに送信することと、
前記ユーザがユーザ機器を使用するための設定情報を前記サーバから受信することと、
前記設定情報を前記ユーザ機器に設定することと、
をコンピュータに実行させる。
【発明の効果】
【００１２】
本開示によれば、ユーザが使用するユーザ機器に設定情報を容易に設定することが可能なサーバ、ユーザ機器、システム、方法及びプログラムを提供することができる。
【図面の簡単な説明】
【００１３】
【図１】実施の形態に係るサーバを例示するブロック図である。
【図２】実施の形態に係るシステムを例示するブロック図である。
【図３】実施の形態に係るシステムの動作を例示するブロック図である。
【発明を実施するための形態】
【００１４】
以下、図面を参照して本発明の実施の形態について説明する。各図面において、同一又は対応する要素には同一の符号が付されており、説明の明確化のため、必要に応じて重複説明を省略する。
【００１５】
［実施の形態］
先ず、実施の形態に係るサーバ及びシステムの構成を説明する。
図１は、実施の形態に係るサーバを例示するブロック図である。
図２は、実施の形態に係るシステムを例示するブロック図である。
【００１６】
図１に示すように、実施の形態に係るサーバ１１は、データ処理部１１ａを備える。データ処理部１１ａは、受信部１１１と、判定部１１２と、送信部１１３と、を備える。
【００１７】
図２に示すように、実施の形態に係るシステム１０は、サーバ１１と、ユーザ機器１２と、ネットワーク１３と、を備える。ネットワーク１３は、例えば、企業の社内ネットワークである。システム１０において、ユーザ機器１２とサーバ１１とは、ネットワーク１３を介して接続する。
【００１８】
サーバ１１は、保存部１１４をさらに備える。保存部１１４は、顔認証情報保存部１１４ａと個人設定情報保存部１１４ｂとを備える。ユーザ機器１２は、カメラ１２１を備える。カメラ１２１は、例えば、ユーザの顔認証情報を作成することが可能な顔認証用カメラである。
【００１９】
ユーザ機器１２は、例えば、端末、電話機、スマートフォン、携帯電話機、パーソナルコンピュータ、及びタブレットのうちのいずれかである。
【００２０】
サーバ１１の受信部１１１は、ユーザを認証するための所定の認証情報をユーザが使用するユーザ機器１２から受信する。認証情報は、例えば、人の顔を使用してユーザを認証する顔認証情報である。
【００２１】
保存部１１４の顔認証情報保存部１１４ａは、受信した顔認証情報を保存する。保存部１１４の個人設定情報保存部１１４ｂは、ユーザがユーザ機器１２を使用するための設定情報を保存する。保存部１１４は、顔認証情報と設定情報とを紐付けて保存する。また、保存部１１４は、予め受信した複数の顔認証情報のそれぞれを、顔認証情報に対応するユーザの設定情報と紐付けて、顔認証情報保存部１１４ａと個人設定情報保存部１１４ｂに保存する。尚、設定情報を個人設定情報と称することもある。
【００２２】
判定部１１２は、所定の顔認証情報が予め保存された複数の顔認証情報のうちのいずれかと一致するかを判定する。
【００２３】
送信部１１３は、所定の顔認証情報が予め保存された複数の顔認証情報のうちのいずれかと一致する場合、所定の顔認証情報と紐付けられた設定情報を、ユーザ機器１２に送信する。
【００２４】
ユーザ機器１２は、ユーザ機器送信部（図示せず）と、ユーザ機器受信部（図示せず）と、設定部（図示せず）と、を備える。ユーザ機器送信部は、所定の認証情報をサーバ１１に送信する。ユーザ機器受信部は、設定情報をサーバ１１から受信する。設定部は、設定情報をユーザ機器１２に設定する。
【００２５】
次に、実施の形態に係るシステムの動作を説明する。
実施の形態の動作では、ユーザ機器１２として、電話機を例に挙げて説明する。
図３は、実施の形態に係るシステムの動作を例示するブロック図である。
【００２６】
図３に示すように、システム１０において、ユーザ（使用者）により電話機１２の電源がオンされる（ステップＳ１０１）。
【００２７】
ユーザにより電話機１２のカメラ１２１が起動される（ステップＳ１０２）。
【００２８】
電話機１２は、認証要求として、カメラ１２１を使用してユーザの顔認証情報を作成する。顔認証情報をサーバ１１に保存する場合（ステップＳ１０３：保存指示）、電話機１２は、ユーザの顔認証情報の保存指示をサーバ１１に送信する（ステップＳ１０４）。
【００２９】
サーバ１１のデータ処理部１１ａは、保存指示を受信し確認する。データ処理部１１ａは、受信した顔認証情報を顔認証情報保存部１１４ａに保存する。
【００３０】
データ処理部１１ａは、顔認証情報と個人設定情報とを紐付し、紐付けした個人設定情報を個人設定情報保存部１１４ｂに保存する。
【００３１】
個人設定情報を使用するために、個人設定情報をサーバ１１から送信してもらう場合（ステップＳ１０３：送信指示）、電話機１２は、個人設定情報の送信を指示する送信指示をサーバに送信する（ステップＳ１０５）。送信指示は、ユーザの所定の顔認証情報を含む。
【００３２】
この後、電話機１２は、サーバ１１から送信される個人設定情報の受信待ち状態となる（ステップＳ１０６）。
【００３３】
サーバ１１のデータ処理部１１ａは、個人設定情報の送信を指示する送信指示を電話機１２から受信し、確認する。データ処理部１１ａは、送信されてきた所定の顔認証情報が、予め顔認証情報保存部１１４ａに保存された複数の顔認証情報のうちのいずれかと一致するかを判定（判断）する（ステップＳ１０７）。
【００３４】
データ処理部１１ａは、保存された複数の顔認証情報と一致しない場合（ステップＳ１０７：Ｎｏ）、エラーを電話機１２に送信する。
【００３５】
データ処理部１１ａは、送信されてきた所定の顔認証情報が、保存された複数の顔認証情報と一致する場合（ステップＳ１０７：Ｙｅｓ）、所定の顔認証情報と紐付けられた個人設定情報を電話機１２に送信する。
【００３６】
電話機１２は、サーバ１１から受信した個人設定情報を電話機１２自身に設定する（ステップＳ１０８）。
【００３７】
実施の形態に係るサーバ１１は、所定の認証情報が、予め保存された複数の認証情報のうちのいずれかと一致する場合、所定の認証情報と紐付けられた個人設定情報であって電話機１２を使用するための該個人設定情報を電話機１２に送信する。電話機１２は、サーバ１１から受信した個人設定情報を電話機１２自身に設定する。これにより、ユーザは、自らの個人設定情報をユーザ機器１２に設定する必要が無くなる。
【００３８】
すなわち、ネットワーク１３に接続されているサーバ１１に顔認証情報と個人設定情報を登録し、顔認証情報を使用して認証することにより、面倒であった個人設定を容易に行うことができる。
【００３９】
その結果、ユーザが使用するユーザ機器に設定情報を容易に設定することが可能なサーバ、ユーザ機器、システム、方法及びプログラムを提供することができる。
【００４０】
例えば、ユーザが通常の勤務地以外で電話機１２を使用する場合、ユーザの個人設定情報を容易に電話機に設定することができるので、ユーザは面倒さが無くなり、通常の勤務と同様な環境で作業を行うことができる。
【００４１】
また、営業部門などのように、オフィスに居る人が日々異なる場合でも、複数の電話機１２のそれぞれに個人設定情報を設定することで、オフィスに居る人が電話機１２を効率良く使用することができる。
【００４２】
尚、実施の形態を適用することができる電話機１２は、固定電話機には限定されず、移動電話機（携帯電話機）でもよい。
【００４３】
ここで、実施の形態の特徴を以下に示す。
実施の形態の方法においては、例えば、通常の勤務地で使用している電話機１２の個人設定情報を社内ネットワークに接続されているサーバ１１に保存し、保存した個人設定情報を使用する際、顔認証情報を使用することで個人の認証が可能となる。また、該方法を使用することにより、通常の勤務地以外で社内ネットワークに接続されている電話機１２も個人設定を行うことができる。
【００４４】
なお、上記の実施の形態では、本発明をハードウェアの構成として説明したが、本発明はこれに限定されるものではない。本発明は、各構成要素の処理を、ＣＰＵ（Central Processing Unit）にコンピュータプログラムを実行させることにより実現することも可能である。
【００４５】
上記の実施の形態において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実態のある記録媒体(tangible storage medium)を含む。非一時的なコンピュータ可読媒体の例は、磁気記録媒体（具体的にはフレキシブルディスク、磁気テープ、ハードディスクドライブ）、光磁気記録媒体（具体的には光磁気ディスク）、ＣＤ−ＲＯＭ（Read Only Memory）、ＣＤ−Ｒ、ＣＤ−Ｒ／Ｗ、半導体メモリ（具体的には、マスクＲＯＭ、ＰＲＯＭ（Programmable ROM）、ＥＰＲＯＭ(Erasable PROM)）、フラッシュＲＯＭ、ＲＡＭ(Random Access Memory)を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００４６】
なお、本発明は上記実施の形態に限られたものではなく、趣旨を逸脱しない範囲で適宜変更することが可能である。
【符号の説明】
【００４７】
１０…システム
１１…サーバ
１１ａ…データ処理部
１１１…受信部
１１２…判定部
１１３…送信部
１１４…保存部
１１４ａ…顔認証情報保存部
１１４ｂ…個人設定情報保存部
１２…ユーザ機器、電話機
１２１…カメラ
１３…ネットワーク
【図１】
2020144422.tif 000003
【図２】
2020144422.tif 000004
【図３】
2020144422.tif 000005
【手続補正書】
【提出日】令和2年3月5日(2020.3.5)
【手続補正１】
【補正対象書類名】特許請求の範囲
【補正対象項目名】全文
【補正方法】変更
【補正の内容】
【特許請求の範囲】
【請求項１】
ユーザを認証するための所定の認証情報を前記ユーザが使用するユーザ機器から受信する受信部と、
前記所定の認証情報が予め保存された複数の認証情報のうちのいずれかと一致するかを判定する判定部と、
前記所定の認証情報が一致する場合、前記所定の認証情報と紐付けられた設定情報であって前記ユーザ機器を使用するための前記設定情報を前記ユーザ機器に送信する送信部と、
前記認証情報と前記設定情報とを紐付けて保存する保存部と、を備え、
前記受信部が、認証情報を含む保存指示を前記ユーザ機器から受信した場合、
前記保存部は、前記保存指示に含まれる認証情報を前記設定情報に紐づけて保存し、
前記受信部が、認証情報を含む送信指示を前記ユーザ機器から受信した場合、
前記判定部は、前記送信指示に含まれる認証情報が予め保存された複数の認証情報のうちのいずれかと一致するかを判定する、
サーバ。
【請求項２】
前記認証情報は、人の顔を使用して前記ユーザを認証する顔認証情報である、
請求項１に記載のサーバ。
【請求項３】
ユーザを認証するための所定の認証情報をサーバに送信する送信部と、
前記ユーザがユーザ機器を使用するための設定情報を前記サーバから受信する受信部と、
前記設定情報を設定する設定部と、を備え、
前記送信部は、前記認証情報に紐づけられた前記設定情報を前記サーバから取得するために用いる送信指示及び、前記認証情報と前記ユーザ機器を使用するための設定情報とを紐づけて前記サーバに保存するために用いる保存指示のいずれかを用いて、前記認証情報を前記サーバへ送信する、
ユーザ機器。
【請求項４】
端末、電話機、スマートフォン、携帯電話機、パーソナルコンピュータ、及びタブレットのうちの少なくともいずれかを含む、
請求項３に記載のユーザ機器。
【請求項５】
請求項１又は２に記載のサーバと、
請求項３又は４に記載のユーザ機器と、
を備えるシステム。
【請求項６】
サーバが、
ユーザを認証するための所定の認証情報を前記ユーザが使用するユーザ機器から受信し、前記認証情報を含む保存指示を受信した場合、前記保存指示に含まれる認証情報を、前記ユーザ機器を使用するための設定情報に紐づけて保存し、
前記認証情報を含む送信指示を受信した場合、前記送信指示に含まれる認証情報が予め保存された複数の認証情報のうちのいずれかと一致するかを判定し、
前記所定の認証情報が一致する場合、前記所定の認証情報と紐付けられた設定情報であって前記ユーザ機器を使用するための前記設定情報を前記ユーザ機器に送信する、
サーバの制御方法。
【請求項７】
前記認証情報は、人の顔を使用して前記ユーザを認証する顔認証情報である、
請求項６に記載のサーバの制御方法。
【請求項８】
ユーザ機器が、
認証情報に紐づけられた前記ユーザ機器を使用するための設定情報を取得するための送信指示、及び、前記認証情報と前記ユーザ機器を使用するための設定情報とを紐づけてサーバに保存するための保存指示のいずれかを用いて、ユーザを認証するための所定の認証情報をサーバに送信し、
前記送信指示を送信した場合、
前記ユーザ機器を使用するための設定情報を前記サーバから受信し、
前記設定情報を前記ユーザ機器に設定する、
ユーザ機器の制御方法。
【請求項９】
端末、電話機、スマートフォン、携帯電話機、パーソナルコンピュータ、及びタブレットのうちの少なくともいずれかを含む、
請求項８に記載のユーザ機器の制御方法。
【請求項１０】
コンピュータに、
請求項６又は７に記載のサーバの制御方法を
実行させるプログラム。
【請求項１１】
コンピュータに、
請求項８又は９に記載のユーザ機器の制御方法を
実行させるプログラム。